(57)【要約】【課題】びんの口に受け入れられるストローの位置を安定させる簡単で経済的に製造されるデバイスを提供する。【解決手段】ストロー・ホルダーは、消費されるべき飲料を収容するびんの口で飲用ストローを垂直に支持すると共に、びんに対してストローの垂直な移動を制限する。ストロー・ホルダーは、びんの口を横切って載置されるような寸法であるストロー支持部を含み、このストロー支持部には、開口が画定されている。開口は、飲用ストローを受け入れて、ストローがストローの先端を飲料と連通させるように開口を介してびんの中に位置させる。開口は、一旦、所望の垂直位置が選択されると、びん内のストローの先端の垂直位置を調節自在に維持するような寸法を持つ。ストロー・ホルダーは、また、びんの口を横切ってストロー支持部の位置を維持すべくストロー支持部に結合したびん保持部を含む。【選択図】図８
2007524473.tif 000002
【特許請求の範囲】
【請求項１】
びんの口に飲用ストローを支持するストロー・ホルダーにおいて、
びんの口を横切って載置されるような寸法のストロー支持部であって、ストローを受け入れると共に、前記支持部に対して前記ストローを垂直に支持するように設計された開口を含むストロー支持部と、
びん保持部であって、前記保持部のまわりに伸びる少なくとも一つの巻きを含み、前記少なくとも一つの巻きは一端が前記ストロー支持部に取り付けられた第一の巻きを含むびん保持部と
を含むストロー・ホルダー。
【請求項２】
前記びん保持部は、前記第一の巻きに取り付けられた第二の巻きを含む複数の巻きを含む請求項１に記載のストロー・ホルダー。
【請求項３】
前記少なくとも一つの巻きは前記ストロー支持部のまわりに渦巻き状に伸び、前記巻きの各々は、内側半径を有する内側エッジ、及び外側半径を有する外側エッジを有し、前記内側半径及び前記外側半径はほぼ連続的に前記巻きの各々のまわりで増加している請求項１に記載のストロー・ホルダー。
【請求項４】
前記びん保持部は、前記第一の巻きに続いて連続した渦巻きを形成する少なくとも一つの後続の巻きを含む複数の巻きを含み、前記後続の巻きの各々における内側半径が先行する巻きの外側半径に対応する請求項３に記載のストロー・ホルダー。
【請求項５】
前記少なくとも一つの巻きの各々は、前記ストロー支持部のまわりに前記第一の端から第二の端へ円形に伸びており、前記巻きの各々は、内側半径を有する内側エッジ、及び外側半径を有する外側エッジを有し、前記内側半径及び前記外側半径は前記巻きのまわりでほぼ一定であり、前記保持部は、さらに、前記第一の巻きの前記第一の端を前記ストロー支持部に結合する半径方向結合部分を含む請求項１に記載のストロー・ホルダー。
【請求項６】
前記第一の巻きに続いて少なくとも一つの後続の巻きを含む複数の巻きを含み、前記保持部は、さらに、前記後続の巻きの各々における第一の端を先行する巻きの第二の端に結合する半径方向結合部分を含む請求項５に記載のストロー・ホルダー。
【請求項７】
後続の巻きの各々における内側半径が先行する渦巻きの外側半径に対応する請求項６に記載のストロー・ホルダー。
【請求項８】
前記ストロー保持部はほぼ円板形であって半径を有し、前記第一の巻きの前記内側半径が前記円板の前記半径に対応する請求項５に記載のストロー・ホルダー。
【請求項９】
前記ストロー支持部及び前記びん保持部は弾力性シート材料から一体的に形成される請求項１に記載のストロー・ホルダー。
【請求項１０】
前記ストロー・ホルダーは前記シート材料を切断することにより形成される請求項１０に記載のストロー・ホルダー。
【請求項１１】
前記ストロー・ホルダーは、前記シートに対して直角で前記開口を通る中心軸を有し、前記ストロー・ホルダーは、前記軸に対して軸方向及び半径方向の双方に弾性を示し、前記軸方向弾性は前記半径方向弾性よりも実質的に大きい請求項１２に記載のストロー・ホルダー。
【請求項１２】
前記ストロー支持部は、飲用ストローが前記開口に配置されるときに該飲用ストローと係合すべく前記開口のまわりに配置された接着剤を含む請求項１に記載のストロー・ホルダー。
【請求項１３】
前記開口は、ストローをしまり嵌めで受け入れるような寸法である請求項１に記載のストロー・ホルダー。
【請求項１４】
びんの口に飲用ストローを支持すべく可撓性のシート材料から形成されるストロー・ホルダーにおいて、
びんの口の上に載置されるような寸法のストロー支持部であって、ストローを受け入れると共に前記支持部に対して前記ストローを垂直に支持するように設計された開口を含むストロー支持部と、
前記支持部を囲み、口に隣接してびんと係合すべく前記支持部に面すると共に互いに間隔をあけた少なくとも二つのエッジ部分を有するびん保持部と
を含み、該支持部は、該エッジ部分の間にある少なくとも１つの連結部によって該びん保持部に取り付けられているストロー・ホルダー。
【請求項１５】
前記エッジ部分は、該びん保持部が該支持部に取り付けられる前記連結部の１つによって中断される連続外周エッジの一部である請求項１４に記載のストロー・ホルダー。
【請求項１６】
前記エッジ部分のそれぞれに対応する前記連結部の少なくとも２つを含み、前記エッジ部分は前記連結部によって隔てられている請求項１４に記載のストロー・ホルダー。
【請求項１７】
前記エッジ部分は前記ストロー支持部のまわりに一様に間隔をあけられている請求項１６に記載のストロー・ホルダー。
【請求項１８】
前記エッジ部分の３つが１２０度の間隔をあけた前記連結部の３つによって隔てられている請求項１７に記載のストロー・ホルダー。
【請求項１９】
前記ストロー支持部及び前記びん保持部は一体のピースとして形成されている請求項１４に記載のストロー・ホルダー。
【請求項２０】
前記エッジ部分は前記可撓性のシート材料におけるそれぞれのスリットによって形成され、前記スリットは、前記ストロー支持部を前記びん保持部から隔てられている請求項１９に記載のストロー・ホルダー。
【請求項２１】
前記スリットは、周方向に互いに間隔をあけている請求項２０に記載のストロー・ホルダー。
【請求項２２】
前記スリットは周方向に互いに重なっている請求項２０に記載のストロー・ホルダー。
【請求項２３】
前記スリットの各々は、第一の曲がったエッジ部分と第二の曲がったエッジ部分を含み、前記スリットの各々における前記第一の曲がったエッジ部分は、別の前記スリットの第二の曲がったエッジ部分の半径方向内側にある請求項２２に記載のストロー・ホルダー。
【請求項２４】
前記びん保持部は、さらに、前記エッジ部分の半径方向外側にあり前記エッジ部分のまわりに伸びている第一の渦巻きを含む請求項１４に記載のストロー・ホルダー。
【請求項２５】
前記びん保持部は、前記第一の巻きに結合された第二の巻きを含む複数の巻きを含む請求項１４に記載のストロー・ホルダー。
【請求項２６】
前記エッジ部分は、前記可撓性のシート材料における一対のスリットによって形成される請求項１４に記載のストロー・ホルダー。
【請求項２７】
前記スリットの各々は、歪みを緩和する丸い孔に形成された対向端を有する請求項２６に記載のストロー・ホルダー。
【請求項２８】
前記スリットは、平行なほぼ直線のスリットである請求項２６に記載のストロー・ホルダー。
【請求項２９】
前記エッジ部分は、互いに凹に向き合う曲がったエッジ部分である請求項２６に記載のストロー・ホルダー。
【請求項３０】
前記びん保持部は、前記エッジ部分を含む円形の頂部エッジを有する円錐台スカートを含み、前記ストロー支持部は、前記エッジ部分の間の前記連結部によって前記頂部エッジに取り付けられている請求項１４に記載のストロー・ホルダー。
【請求項３１】
前記ストロー支持部は、前記円形の頂部エッジから伸びるタブを含み、前記開口は前記タブに形成される請求項３０に記載のストロー・ホルダー。
【請求項３２】
前記ストロー支持部及び前記びん保持部は、一体のピースとして形成される請求項３２に記載のストロー・ホルダー。
【請求項３３】
前記円錐台スカートは、互いに重ねられると共に固定されて前記スカートを形成する対向端を有する弧状セグメントから形成されている請求項３２に記載のストロー・ホルダー。
【請求項３４】
前記びん保持部には、円形板を保持するための周方向に間隔をあけた複数のスリットが形成されている請求項１４に記載のストロー・ホルダー。
【請求項３５】
前記びん保持部には、びんキャップを保持するためのスリットが形成されている請求項１４に記載のストロー・ホルダー。
【請求項３６】
さらに、前記ストロー保持部に形成されたポストを含み、前記ポストは、CDの中央開口にしまり嵌めで嵌る寸法の周縁フランジを備え、該開口は前記フランジの中央に設けられている請求項１４に記載のストロー・ホルダー。
【請求項３７】
びんの口に飲用ストローを支持すべく可撓性のシート材料から形成されるストロー・ホルダーであって、
びんの口の上に載置されるような寸法のストロー支持部であって、ストローを受け入れると共に前記支持部に対して前記ストローを垂直に支持するように設計された開口を含むストロー支持部と、
該ストロー支持部を囲み、該ストロー支持部から少なくとも一対のスリットによって隔てられたびん保持部と
を含み、各スリットは前記支持部に向いたエッジ部分を有すると共に、口に隣接してびんと係合するように別の前記エッジ部分から間隔をあけ、該支持部は、該びん保持部にスリットの間にある少なくとも一対の連結部によって取り付けられているストロー・ホルダー。
【請求項３８】
前記スリットの各々は、歪みを緩和する丸い孔に形成された対向端を有する請求項３７に記載のストロー・ホルダー。
【請求項３９】
前記スリットの少なくとも一対は、平行なほぼ直線のスリットから成る請求項３７に記載のストロー・ホルダー。
【請求項４０】
前記スリットの少なくとも一対におけるエッジ部分が、互いに凹に向き合う曲がったエッジ部分である請求項３７に記載のストロー・ホルダー。
【請求項４１】
該ストロー支持部を該びん保持部から隔てる二対のスリットを含む請求項３７に記載のストロー・ホルダー。
【請求項４２】
びんの口に飲用ストローを支持すべく可撓性のシート材料から形成されるストロー・ホルダーであって、
びんの口の上に載置されるような寸法のストロー支持部であって、ストローを受け入れると共に、前記支持部に対して前記ストローを垂直に支持するように設計された開口を含むストロー支持部と、
前記支持部を囲む円錐台スカートを含むびん保持部と
を含み、該円錐台スカートは、口に隣接してびんと係合するための円形の頂部エッジを有し、該支持部は該円形の頂部エッジから伸びる連結部によって該びん保持部に取り付けられているストロー・ホルダー。
【請求項４３】
該ストロー支持部は、該円形の頂部エッジから伸びるタブを含み、該開口は、該タブに形成されている請求項４２に記載のストロー・ホルダー。
【請求項４４】
前記ストロー支持部及び前記びん保持部は一体のピースとして形成される請求項４２に記載のストロー・ホルダー。
【請求項４５】
前記ストロー支持部は、互いに重ねられると共に固定されて円錐台スカートを形成する対向端を有する弧状セグメントから形成されている請求項４２に記載のストロー・ホルダー。
【発明の詳細な説明】
【技術分野】
【０００１】
本発明は、びんの口で飲用ストローを垂直に支持して方向付けるストロー・ホルダーに関する。
【背景技術】
【０００２】
飲料の消費者は、状況によってはびんからストローによって直接飲みたいことがある。例えば、車を運転中に、びん入りの飲料はこぼれにくいが、びんに口をつけて飲もうとするとドライバーの視野の中の道路が見えにくくなる。びんと共にストローを用いると、こぼれるという問題と安全という問題の両方に対処することができるが、短すぎるストローが長すぎるびんの中に落ちたときに問題が生じる。さらに、炭酸飲料からの二酸化炭素の泡がストローにたまって、それが持ち上げられ、びんから出てしまうことがある。したがって、ストローをびんに垂直に支持し、落ち込んだり、飛び出したりできないようにすることが望ましい。同時に、ストローの角度位置を安定させて、びんの口の中でそれが回転できないようにすることが望ましい。この問題に対処するデバイスは、また、手が十分に使えない病人でも使用できるであろう。
【０００３】
カップの縁に対してストローを安定させるという問題は、特許文献１で取り上げられており、同特許は紙などのシート材料から切り出されるストロー・ホルダーを開示している。このホルダーは、標準飲用ストローを受け入れる開口を有する保持部と、端が互いにクリップされてカップの外側に嵌る一対のウイングを含む。
【０００４】
簡単に製造されたデバイスによってびんにおけるストローの位置を安定させるという問題はまだ解決されていないように思われる。特許文献２は、びんに入れられる取り込み部と、びんの首のまわりに嵌められるらせん部と、さらに消費者が吸引する出口とが形成された飲用ストローを開示している。その目的は、小さな子供が使用するストローの位置を安定させることであるが、このストローの循環経路は液体を引き込むのにかなりの努力を必要とする。さらに、この特別に形成されるストローは三次元物体で、製造には比較的金がかかり、ある程度の量になると貯蔵し輸送するのに不便である。したがって、これはびん入り飲料で「添え物」として用いるには不適当である。
【０００５】
その他の従来技術が、カップの縁に対してストローを位置決めするストロー・ホルダーを記載している。例えば、特許文献３及び特許文献１を参照されたい。後者は、シート材料から切り出すことができ、ストローによってカップにホルダーを位置決めするストロー・ホルダーを開示している。
【特許文献１】米国特許第５，８２３，４９３号明細書
【特許文献２】米国特許第３，６０６，１５６号明細書
【特許文献３】米国特許第２，０７０，４９５号明細書
【発明の開示】
【発明が解決しようとする課題】
【０００６】
本発明の目的は、びんの口に受け入れられるストローの位置を安定させる簡単で経済的に製造されるデバイスを提供することである。
【課題を解決するための手段】
【０００７】
本発明によれば、この目的は、しまり嵌めでストローを受け入れるような寸法の中央開口を有するストロー支持部と、少なくとも１つの巻きが保持部のまわりに伸びているびん保持部とを含むストロー・ホルダーによって達成される。巻きは、好ましくは数巻きあり、あるサイズ範囲のびんの首のまわりに嵌るような渦巻き形態であってもよい。使用時に、ストロー支持部はびんの口に当たって受け入れられ、ストローがその開口に挿入される。この開口はタブ又はその他の弾力性の受容手段でストローに半径方向の力を及ぼすように構成される。ストロー・ホルダーをびんに保持するために、びんの口の近くでフランジ又はらせんランプの下で一巻き以上の渦巻きが受け入れられる。
【０００８】
本発明によるストロー・ホルダーは、シート材料、例えば、紙、ボール紙、又はポリウレタンなどのプラスチックから簡単に製造できる。シート材料に、好ましくはダイカットによって、仕上がりデバイスの中央開口と渦巻きを画定するスリットが形成される。ストロー・ホルダー自身は、好ましくは、使用しないときは二次元であり、したがって積み重ねてスペースをかなり節約できるようになっている。本発明によるストロー・ホルダーは、使い捨てカップ用の蓋よりもさらに安く製造できるので、場合によっては、びん入り飲料を販売する場所で、ストローをつけた「景品」として用いるのに適している。そのようなわけで、ストロー製造業者はこのストロー・ホルダーを「付加価値」アイテムとして提供したいと思うであろう。
【０００９】
本発明の別の実施形態によると、しまり嵌めでストローを受け入れるような寸法の中央開口を有するストロー支持部と、この支持部を囲み、ストロー支持部に面してびんの口の近くでびんのねじ状ランプ又はフランジと係合するような間隔をあけた少なくとも二つエッジ部分を有するびん保持部とを含むストロー・ホルダーが提供される。支持部は、エッジ部分の間に位置する少なくとも一つの連結部によってびん保持部に取り付けられる。エッジ部分は、好ましくは、ストロー支持部をびん保持部から隔てるそれぞれのスリットによって形成される。スリットは、好ましくは、びんの首の輪郭に合致するように曲がっており、ねじ止めキャップを有するびんのフランジ又はねじ状ランプと係合するために大きな表面積を有する。びん保持ランプに半径方向外側にある渦巻きを設けてびんのまわりでの保持を強化することもできる。
【００１０】
本発明によるストロー・ホルダーは、また、広告メディアを含むことができ、CDなどの宣伝アイテムを取り付けることもできる。このために、びん保持部に周方向に間隔をあけたスリットを設けてCDの周縁と係合させることもできる。
【００１１】
本発明のその他の目的及び特徴は、以下の詳細な説明を添付図面を参照して考察することによって明らかになるであろう。しかし、図面はもっぱら例示的な説明のためのものであり、本発明の範囲を画定するものでなく、それについては添付の特許請求の範囲を参照すべきであることは言うまでもない。さらに、図面は必ずしも寸法通りに描かれておらず、別に断らない限り、図面はここで説明される構造と手順を単に概念的に図示しようとするものであることも言うまでもない。
【発明を実施するための最良の形態】
【００１２】
本明細書で説明される実施の形態では、ストロー・ホルダーは、好ましくは、ボール紙又はプラスチックなどの可撓性のシート材料で作られ、スリットやその他の画定する特徴は好ましくはダイカットによって形成される。
【００１３】
図１を参照すると、従来のびん２はリップ、即ち第一のフランジ１３によって囲まれた口４を有し、第１のフランジ１３は圧着される金属キャップ（図示せず）を保持するために用いられ、その後に第二のフランジ１５が続き、これはびんの首１７に強度を付与し、又自動操作を容易にする。びんのボディー１８は、口から１０インチにまで達する底（図示せず）まで伸びている。
【００１４】
図２は、最近のプラスチックびん２を示し、これは、口１１１からある距離だけ隔てられた第一のフランジ１１３と、ねじ止めキャップ（図示せず）を保持する役目をする複数の（普通は３つの）ランプ６によって囲まれた口４を有する。第一のフランジ１１３は、チャンネル１１４によって第二のフランジ１１５から離間しており、このチャンネルは、プラスチック・キャップと一体で形成され、壊れやすいタブによってそれに結合されるカラーを保持する役目をする。キャップを最初に外すとき、カラーが第一のフランジ１１３に当接してタブが破壊する。上記のびんの例は多くのバリエーションが知られており、ねじ止めキャップを保持するランプだけしかないものもある。本発明によるストロー・ホルダーは、びんがこのストロー・ホルダーを保持するためにびんの口の近くに何らかの種類の外向きに伸びている突出部を有することだけを必要とする。ワインのびんなど、キャップを取らないびんでも、普通、何らかのタイプのフランジをびんの口の近くに有し、コルク栓をする自動化作業を容易にし、厚さを増して折損に対する抵抗力を高める。
【００１５】
図３は、第一の実施の形態によるストロー・ホルダー２０を示す平面図である。ストロー・ホルダ２０は、しまり嵌めでストローを受け入れるような寸法に設計された中央開口２４を有するストロー支持部２３を含む。本例では、開口２４は、カップの蓋でよく見られるように４つの曲げられるタブになっている一対の交差スリットによって形成されている。開口はまた、一つ以上の曲げられるタブが半径方向内向きに伸びてストローに半径方向の力を及ぼし、それによってストロー・ホルダーに対するストローの垂直な動きを防止している円形の孔をプロファイルとしてもよい。あるいはまた、又はそれに加えて、曲げられるタブに接着剤が存在し、マスキング・フィルム（図示せず）などを除去することにより接着剤が露出しストローを開口２４にさらにしっかり固定するようになっていてもよい。ストロー支持部２３は外側エッジ２６が連続的に増加する半径を有し、オウムガイのような輪郭を形成する。ストロー支持部２３に結合したびん保持部３０は、渦巻きを形成すべく結合した複数の巻きを有する。詳しく言うと、保持部３０は、ストロー支持部２３に結合した第一の端３２を有する第一の巻き３１と、第一の巻き３１に結合した第二の巻き３６とを備え、二巻きのスパイラルを形成する。第一の巻きは内側エッジ３３と外側エッジ３４を有し、第二の巻きは内側エッジ３７と外側エッジ３８を有する。第一の巻きの内側エッジ３３はストロー支持部２２の外側エッジ２６に続き、第二の巻き３６の内側エッジ３８は第一の巻き３１の外側エッジ３４に続く。この形態は、シート材料から巻きの間をシングル・スリットでストロー・ホルダーを切り出すことによって得られ、材料を経済的に使用できるだけでなく、巻きをできるだけ近い間隔で配置してホルダー２０のびんへの保持を最適化する。第三の巻き３９が最初の二巻きと同様に作られる。これらの巻きはエッジの半径が連続的に増加する必要はなく、不規則な又は波形のエッジにして装飾効果をあげてもよい。
【００１６】
図４は、図１に示したタイプのびん２に嵌められた図３のタイプのストロー・ホルダー２０を示す。ストロー支持部２３はびんの口を横断して位置すると共に、そこに載っており、ストロー９は開口２４にしまり嵌めで嵌り、それによってストローがびんの中に落ちるのを防止することができる。第一の巻き３１が第一のフランジ１３をまわって嵌り、巻き３１を軸方向に保持する下向きのショルダーをなす。第二の巻き３６は第二のフランジ１５のまわりに嵌り、第二の巻き３６を軸方向に保持する下向きのショルダーをなす。びんの首のまわりにゆるく位置して示されている第三の巻き３９は、このサイズのびんでは何も保持機能を果たしていない。しかし、ストロー・ホルダー２０がもっと口が広いびんに嵌められる場合、第一の巻きは、場合によっては、第二の巻きも、保持機能を果たさず、第三の巻き３９がびんに形成されたランプ又はフランジによって軸方向に保持されることになる。もちろん、びん保持部３０は、任意の個数の巻きを備えることができ、これにより、広範囲のびんサイズで使用できるようになる。他方、巻きの数が少ないか、又は一巻きしかない場合、もっぱら限られた範囲のびんサイズでしか使用できない。保持部３０には、また、CD、特に付加価値アイテムとして宣伝目的でストロー・ホルダーに含められる直径3インチのCDを保持するためのスリット３５を設けることもできる。
【００１７】
図５は、別の実施の形態によるストロー・ホルダー４０を示す。ストロー・ホルダ４０は、開口４４を有するストロー支持部４２と、実質的に円形の輪郭を有する外側エッジ４６とを含む。びん保持部５０は、第一の巻き５２、第二の巻き５９、第三の巻き６５、及び第四の巻き６６を含む。第一の巻き５２は、第一の端５１、第二の端５６、内側エッジ５４、及び外側エッジ５５を有する。第一の端５１は半径方向結合部分５７によってストロー支持部４２と結合され、内側エッジ５４及び外側エッジ５５は、それぞれほぼ一定の半径を有し、内側エッジ５４はストロー支持部４２の外側エッジ４６に続いている。第二の巻き５９は、第一の端６０、第二の端６３、内側エッジ６１、及び外側エッジ６２を有する。第一の端６０は半径方向結合部分６４によって第一の巻き５２の第二の端５６に結合され、内側エッジ６１及び外側エッジ６２は、それぞれほぼ一定の半径を有し、内側エッジ６１は第一の巻き５２の外側エッジ５５に続いている。第三の巻き６５及び第四の巻き６６も同様に構成される。巻きの数は、もう一度言うが、どの程度の汎用性を望むかによる。巻きの内側半径がほぼ一定であることは、図２に示されたようなフランジ又は一組のランプの下の表面に内側半径の一つがぴったりと一致したときにはしっかりと嵌るという利点がある。また、巻きの内側半径が標準キャップ・サイズで用いられる標準半径と対応するように選ぶことも可能である。これにより、巻きの幅を一様でなくし、即ち、それぞれの巻きの内側半径と外側半径の間の距離を異ならせるという結果をもたらす。
【００１８】
使用時、本発明は、ストロー支持部４２をびんの口に配置してびんの首のまわりに位置決めされるストロー・ホルダー２０を提供する。一旦、そのように位置決めされると、ストローを開口４４に挿入することができ、そのストローを用いてびんから飲料を消費できる。ストローの長さがびんの深さよりも短い場合、びん内にあるストローの端はびんの内部の底面よりも上に位置する。飲料の大部分が消費され、残りの量に（ストローの長さと位置の関係で）アクセスできなくなったら、ストローが残りの飲料にアクセスするようにびんを傾けることができる。
【００１９】
本発明によるストロー・ホルダーをシート材料からカットしたとき、接着剤バッキングと使用前に除去される剥離層とを設けることができる。それによってストロー支持部をびんの口にしっかりと付着させ、巻きをびんの首に付着させることができる。この点で、接着剤はストロー支持部と外側巻きの終端に用意するだけでよいであろう。ストロー・ホルダー、又はストロー・ホルダーの少なくとも一部、好ましくはびんに付着する部分の材料が温度によって色が変わる物質で作られている場合、びんとその中身の温度を示すことができる。剥離層の代わりに、接着剤のバッキングを有するストロー・ホルダーをびんのプラスチック包装又はびんのブリスター包装に貼り付けてラベルとして用いることもできる。
【００２０】
本発明のストロー・ホルダーはまた、ミシン目を設けたボール紙パッケージに組み込んで、ストロー・ホルダーをパッケージから切り離し、巻きを分離させるようにすることもできる。いずれにしても、ストロー・ホルダーに印刷されたものを付けて広告の役目をさせることができる。外側の巻きの終端に切り込みを設けて巻きの最初の方に嵌め込んでしっかりと保持するようにすることもできる。
【００２１】
図６は、本発明の別の実施の形態によるストロー・ホルダー１００を示す。ストロー・ホルダー１００は、しまり嵌めでストローを受け入れるような寸法の開口１３０を有するストロー支持部１２０と、一対の平行な直線スリット１５０によって中央ストロー支持部１２０から隔てられたびん保持部１４０とを含み、直線スリット１５０は、口と隣接したところでびんに係合するように間隔をあけてそれぞれ互いに対向するエッジ部分１６０を有する。各スリット１５０は一対の孔１７０で終端し、これらの孔は、歪みを緩和して断裂がスリット１５０から部分１４０に容易に伝播しないようになっている。スリット１５０と平行してその外側にさらに一対のスリットを設けて口がもっと広いびんにも係合するようにできる。
【００２２】
図７は、本発明の第二の実施の形態によるストロー・ホルダー２００を示す。ストロー・ホルダー２００は、しまり嵌めでストローを受け入れるような寸法の開口２３０を有する中央ストロー支持部２２０と、一対のスリット２５０によってストロー支持部２２０から隔てられたびん保持部２４０とを含み、一対のスリット２５０は、互いに凹に向き合って口と隣接したところでびんに係合するように間隔をあけてそれぞれの曲がったエッジ部分２６０を有する。曲がったエッジ部分２９０を有する別の一対のスリット２８０がもっと広い口のびんと係合できるように設けられている。
【００２３】
図８は、このストロー・ホルダー２００を、口４、ねじ止めキャップ（図示せず）を保持する役目をするランプ６、及びフランジ８を有するびん２にフィットさせた状態を示す。ストロー・ホルダー２００は、開口２３０（図７）に受け入れられるストロー９を支持するストロー支持部２２０を口に当ててびんに嵌められ、びん保持部２４０は撓んでストロー支持部２２０の面から出て曲がったエッジ部分２６０がランプ６に係合してストロー・ホルダーをびんに保持する。図６のストロー・ホルダー１００もほとんど同じように嵌められる。ストロー保持部は、また、ランプを有していない従来のびん、例えば圧着キャップを有する飲料びんのフランジにも係合できる。
【００２４】
図９はストロー・ホルダー４００の第四の実施の形態を示す。ストロー・ホルダー４００は、ストローを受け入れる開口４３０を有するストロー支持部４２０と、スリット４５０によってストロー支持部４２０から分離されるびん保持部４４０を有する。各スリット４５０は、第一の曲がったエッジ部分４６０と第二の曲がったエッジ部分４７０とを有する。スリット４５０は、スリットの第一の曲がったエッジ部分４６０が別のスリットの第二の曲がったエッジ部分４７０の半径方向内側にあるように互いに重なっている。これにより、第一のエッジ部分４６０又は第二のエッジ部分４７０のどちらかでびんのフランジ又はランプに係合することができるので、ストロー・ホルダー５００を広範囲のびんサイズに合わせることができる。びん保持部４４０はさらに、図３に関連して説明したように、びんをさらにしっかりと保持するスパイラル渦巻き４８０を含む。
【００２５】
図１０Aは、図１０Bに示されるストロー・ホルダー５００のダイカット・ブランク５１０を示す。ブランク５１０は、開口５３０を有するストロー支持部５２０と、円形のトップ・エッジ５６０を有するびん保持部５４０を含む。びん保持部５４０は、実質的に半円形であり、対向端５８０を有する。対向端５８０は、互いに重ねられ糊付けされてストロー・ホルダー５００の円錐台の形をしたスカート５５０を形成する。図１０Bに示されているように、エッジ部分５７０はトップ・エッジ５６０によって形成され、それをびんの首のまわりにスリップさせることができる。ブランク５１０には、また、びんのキャップを保持するためのスリット５９０を設けることもできる。
【００２６】
図１１Aは、ストロー支持部６２０と、スリット６５０によってストロー支持部６２０から分離されるびん保持部６４０とを有するストロー・ホルダー６００を示す。ストロー支持部６２０は、頂部フランジ６８０を有する中央ポスト６６０を含んで成形され、ストロー保持開口６３０がポスト６６０の頂部表面にカットされている。図１１Bに示されるように、フランジ６８０はCD６９０の中央開口にしまり嵌めで受け入れられるような寸法になっている。したがって、ストロー・ホルダー６００は販売の時点で宣伝用のCDを取り付けることがでいる。
【００２７】
このように、本発明の基本的な新しい特徴を、好ましい実施の形態に適用した形で図示して説明してきたが、例示されたデバイスの形や細部、及びその動作にいろいろな省略や代用、及び変更を施すことが、本発明の精神から逸脱することなく当業者には可能であることは言うまでもない。例えば、実質的に同じ機能を実質的に同じ仕方で果たして同じ結果を達成する要素のあらゆる組み合わせは本発明の範囲内にある。さらに、本発明の開示された形又は実施の形態に関連して示され及び／又は説明され構造及び／又は要素は、他の開示され又は説明され又は示唆された形又は実施の形態に一般的な設計選択の問題として組み込むことができるということを認識しなければならない。したがって、本発明は本明細書に添付された特許請求の範囲に記されたことによってのみ限定されるものである。
【図面の簡単な説明】
【００２８】
【図１】従来のガラス飲料びんの部分立面図である。
【図２】最近のプラスチック飲料びんの部分立面図である。
【図３】本発明の第一の実施の形態によるストロー・ホルダーの平面図である。
【図４】従来の飲料びんにストロー・ホルダーをフィットさせストローを支持しているときの部分立面図である。
【図５】本発明の第二の実施の形態によるストロー・ホルダーの平面図である。
【図６】本発明の別の実施の形態によるストロー・ホルダーであって、平行な保持スリットを有するストロー・ホルダーの平面図である。
【図７】本発明のさらに別の実施の形態によるストロー・ホルダーであって、曲がった部分がある保持スリットを有するストロー・ホルダーの平面図である。
【図８】びんにフィットさせた図７のストロー・ホルダーの立面図である。
【図９】さらに別の実施の形態によるストロー・ホルダーであって、重なっている保持スリットと外側スパイラル部分を有するストロー・ホルダーの平面図である。
【図１０Ａ】スカート型ストロー・ホルダーを作るためのブランクの平面図である。
【図１０Ｂ】図１０Aのブランクを用いて作られたスカート型ストロー・ホルダーの斜視図である。
【図１１Ａ】ＣＤを保持するためのポストを有するストロー・ホルダーの斜視図である。
【図１１Ｂ】ＣＤが付けられた図１１Aのストロー・ホルダーの側面図である。
【符号の説明】
【００２９】
２  びん
６  ランプ
９  ストロー
１３，１１３  第一のフランジ
１５，１１５  第二のフランジ
１７  びんの首
１８  ボディー
２０，４０，１００，２００，４００，５００  ストロー・ホルダー
２３，４２，１２０，４２０，５２０  ストロー支持部
２４  中央開口
３０  びん保持部
３１，５２  第一の巻き
３６，５９  第二の巻き
３９，６５  第三の巻き
６６  第四の巻き
１３０，２３０，４３０，５３０  開口
１５０  スリット
２２０  中央ストロー保持部
２５０  一対のスリット
【図１】
2007524473.tif 000003
【図２】
2007524473.tif 000004
【図３】
2007524473.tif 000005
【図４】
2007524473.tif 000006
【図５】
2007524473.tif 000007
【図６】
2007524473.tif 000008
【図７】
2007524473.tif 000009
【図８】
2007524473.tif 000010
【図９】
2007524473.tif 000011
【図１０Ａ】
2007524473.tif 000012
【図１０Ｂ】
2007524473.tif 000013
【図１１Ａ】
2007524473.tif 000014
【図１１Ｂ】
2007524473.tif 000015